(57)【要約】      （修正有）【課題】有底側溝とあと打ち調整コンクリートにより接着強度が安定し、底部からの漏水も生じない有底自由勾配側溝を提供する。【解決手段】通水内底面を平坦粗面１１とし、必要に応じ調整コンクリート５をあと打ちする有底自由勾配側溝１であって、通水内底面１０を凸ドット集合状に形成し、内底面あと打ちコンクリートとの接着が安定するとともに、道路の排水施設としての側溝延長内に調整コンクリート有無が混在しても、水理上粗度係数の違いを少なくすることを特徴とする。【選択図】図１
0003188538.tif 000002
【実用新案登録請求の範囲】
【請求項１】
通水内底面を平坦粗面とし、必要に応じ調整コンクリートをあと打ちする有底自由勾配側溝であって、前記の通水内底面を凸ドット集合状に形成し、内底面あと打ちコンクリートとの接着が安定するとともに、道路の排水施設としての側溝延長内に調整コンクリート有無が混在しても、水理上粗度係数の違いを少なくすることを特徴とする有底自由勾配側溝。
【考案の詳細な説明】
【技術分野】
【０００１】  本考案は、道路の排水施設としてＵ形側溝、ボックス側溝等プレキャストコンクリート側溝に調整コンクリートを打つ有底の自由勾配側溝に関する。
【背景技術】
【先行技術文献】
【０００２】  従来、下部を開放した門形で無底のプレキャストコンクリート側溝本体を用い、先施工のコンクリートベース上に布設してから内底部を必要な水路勾配に形成するとともに構造材としても左右の側壁を支持するため側溝内幅３０〜４０ｃｍでは少なくとも厚さ５ｃｍ以上の調整コンクリートを現場打する自由勾配側溝が用いられている。
この従来工法は、側溝本体の高さが固定されたままで内空高のみ底部の調整によって変化するので自由勾配施工が容易である反面、側溝本体が門形で底面が無く予めべースコンクリート打ちが不可欠で工期が長くコストが割高となるうえ側溝本体が無底のため漏水に対して不安全とされることもある。
一方、有底のＵ形側溝等においても時として固定勾配を延長しそのまま自由勾配施工とする場合、内底に従来の無底側溝に準じて最小厚さ５ｃｍ以上の調整コンクリート打ちとしているが、有底のため構造材は不要で単なる水路勾配形成のためのみであり本来調整コンクリートについては最小厚さを設けないことにより勾配設計施工の自由度が高まるところであるが、むしろ水流による浮力に対し側溝本体との付着があと打ちのため安定せず、維持管理におけるスコップ等の衝撃や圧水清掃にも適合しないことがある。
そして、有底の側溝延長内に調整コンクリートの有無が混在する場合には粗度係数の違いが生じて水理上好ましくないとの指摘もあるものの粗度の差は経年変化によって解消される。
そのほか、Ｕ形側溝を用い上部で掛蓋の載置高さを調節し、側溝自体の高さを自由高低に形成する工法もＵ形側溝蓋受構造の部分改良等によって実用化がすすんでいる。
【０００３】
【特許文献１】  特開２００１−１２３５１９号公報
【考案の概要】
【考案が解決しようする課題】
【０００４】  固定勾配施工では、底面付きの側溝が一般に普及しており、そのまま自由勾配施工にも適合出来れば、門形や部分改良Ｕ形とする必要もなくなる。
そのため有底側溝において、側溝内底面のあと打ち調整コンクリートが、最小厚さ５ｃｍでも水流による浮力や維持管理時の衝撃に対して安定し付着が維持されるとともに、側溝内底露出面が現場打調節コンクリートの仕上げに近い肌面で、側溝延長内に調整コンクリートの有無が混在しても施工直後から粗度係数の違いが少なく水理上好ましいものとする。
そして、側溝延長全体を勾配調整する施工条件では、側溝内底面は露出せず水流と無関係となるので調整コンクリートの打継ぎのみに最適合となる粗面とし、調整コンクリートの最小厚さを縮小して５ｃｍ以下でも安定し、勾配調整代をひろげ設計の自由度を高めるものとする。
【課題を解決するための手段】
【０００５】  前記課題を解決するため本考案の有底コンクリート側溝の構造は、
側溝延長の内必要箇所のみに調整コンクリートあと打ちする施工条件では、
通水内底の平坦な表面を凸ドット集合状とするほか、荒目モルタル仕上又はゼロスランプコンクリート仕上とする平坦粗面に形成し、付着面積も増加せしめてあと打ちコンクリートとの付着とグリップを安定向上させるとともに調整コンクリート打ちの無い通水内底面の露出肌面自体も平坦粗面によって現場打ち調整コンクリート仕上面の粗度に近づけるものである。
【０００６】  さらに、勾配調整が側溝延長全体にわたり、もっぱら調整コンクリート打ちを施工条件とするコンクリート側溝においては、
内底面を付着面積が増大し且つコンクリート内部粗骨材も含めてコンクリート打継面が噛み合い、結合強度を高めるものとし、波打ち、はつり、洗い出しやスプリット状等の不陸粗面に形成する。
【考案の効果】
【０００７】  有底側溝の自由勾配施工において、内底にあと打ちする調整コンクリートとの付着とグリップが維持され、浮力に対しても安定しさらに維持管理に適合した側溝構造となる。コンクリート側溝自体は有底構造のため、施工上ベースコンクリート不要で工期が短縮し、底部からの漏水も生じないものとなる。
そして、調整コンクリート打設が容易確実で資材、施工費全体として安価に築造できる。
【０００８】  従来の有底側溝では内底面が施工直後の型枠鉄板による磨面から経年変化によって徐々に現場打ちコンクリート仕上と同程度の肌面に変化するが、
本発明の有底側溝で内底面が平坦粗面の場合、施工直後からの現場打コンクリート仕上に近い肌面状態がほぼ維持され水理面での経年変化が少ないものとなる。
【０００９】  一方あと打ち調整コンクリート面も本発明のコンクリート側溝内底平坦粗面に近いまま経年変化の少ない状態が維持されるので、有底側溝内底面が平坦粗面の場合では道路の排水施設としての側溝延長内に調整コンクリートの有無が混在しても施工直後から粗度係数の違いが小さく水理上好ましいものとなる。
【００１０】  必要に応じ調整コンクリートをあと打ちする有底側溝内底面の平坦粗面ならびに、もっぱら調整コンクリートをあと打ちする有底側溝内底面の不陸粗面の形成は従来通りの製造工程のためコストアップは生じない。
そして、側溝内底面が平坦粗面の場合には調整コンクリート最小厚さ５ｃｍでも安定する。
また、内底面が不陸粗面では調整コンクリートの最小厚さを５ｃｍ以下としてもよく、勾配調整代が増し側溝落差設定における自由度が高いものとなる。
【図面の簡単な説明】
【００１１】
【図１】  掛蓋を用いた有底自由勾配側溝の実施例を示す切欠斜面図である。
【図２】  図１のＡ〜Ａ線にそった断面図である。
【図３】  図１の実施例におけるＵ形側溝による有底側溝の斜面図である。
【図４】  落し蓋型式の有底側溝及び落し蓋による実施例の斜面図である。
【図５】  フランジ付蓋型式の有底側溝及びフランジ付蓋による実施例の斜面図である。
【図６】  ボックス一部落し蓋型式の有底側溝及び落し蓋による実施例の斜面図である。
【図７】  スリット付ボックス一部落し蓋型式の有底側溝及びスリット付落し蓋による実施例の斜面図である。
【考案を実施するための形態】
【００１２】  Ｕ形側溝の場合では内幅３０〜４０ｃｍ内高１０ｃｍ刻み３０〜１２０ｃｍ長さ１ｍ、２ｍ等のプレキャストコンクリートで、基礎上に固定勾配で布設され自由勾配施工では通水断面内底に調整コンクリートをあと打ちする。
【００１３】  必要に応じ調整コンクリートをあと打ちする有底側溝は、通水内底が平坦粗面に形成される。
平坦粗面は平坦な表面上のおおむね３ｍｍ以下の山谷で且つ容易に型枠からの剥離脱型が出来る条件での凸ドット集合状とするほか、荒目モルタル仕上、又はゼロスランプコンクリート仕上で粗面部はモルタル材質となる。
凸ドットは、平坦な表面上に等間隔水玉模様（図示省略）等に集合していて円錐台か球面状でおおむね底面部での直径３〜５ｍｍ高さ１〜３ｍｍ中心間隔１０〜３０ｍｍとしている。
平坦粗面とするのは側溝内底面のみで、両側壁立上り面や隅角曲面は従来の一般品と同じ磨面のままであるが、あと打ちコンクリートとの接合底面はモルタルのみが喰込んで付着とグリップが向上し調整コンクリートが碇着する。
【００１４】  もっぱら調整コンクリートをあと打ちする有底側溝は、通水内底面が不陸粗面に形成される。
不陸粗面は平面のないおおむね５〜１５ｍｍ深さで且つ容易に型枠からの剥離脱型が出来る条件での波打ち状やはつり状とするほか、洗い出し、スプリット状等で山と谷のコンクリートも粗骨材の入った材質となる。
不陸粗面とするのは側溝内底面のみで、両側壁立上り面や隅角曲面は従来の一般品と同じ磨面のままであるが、あと打ちコンクリートとの接合部分は粗骨材も含む山と谷が噛み合って打継面の強度が高く安定し調整コンクリートが一体碇着する。
そして必要に応じ調整コンクリートをモルタルに切替えれば最小厚さ２ｃｍ程度までの縮小も可能となる。
側溝水路の落差は１ｃｍでも効果が大きく、とりわけ調整コンクリート最小厚さの縮小でそれだけ水深ロスのない自由勾配を設定出来る。
【実施例】
【００１５】  図１に実施例の施工状態を示す。
（１）はＵ形側溝による有底側溝、（２）は掛蓋である。
有底側溝（１）は図１、図２、図３に示すとおり内底面（１０）が調整コンクリート無兼用の平坦粗面（１１）に形成されている。
有底側溝（１）は、上面を道路に合わせて基礎（２０）の上に固定勾配で布設する。  そして排水勾配に合わせて調整コンクリート（５）を打設し、掛蓋（２）を連続載置して有底自由勾配側溝を構築する。【００１６】  Ｕ形側溝による有底側溝（１）は、図１、図３に示すとおり長さ１ｍ、２ｍ等で内幅３０〜４０ｃｍ内高１０ｃｍ刻みで３０〜１２０ｃｍのプレキャスト製品として供給される。
掛蓋（２）は、図１、図２に示すとおり長さ０．５ｍ、１ｍ等のプレキャスト製品として供給され、この実施例においては縁石付Ｌ型である。
この実施例の掛蓋（２）は、Ｕ形側溝による有底側溝と同一幅で、上載荷重及び側圧荷重の条件に対応した厚さ強度を具備している。【００１７】  図４は落し蓋形式の実施例である。
（１）は落し蓋側溝による有底側溝、（３）は落し蓋である。
有底側溝（１）は図４に示すとおり内底面（１０）がもっぱら調整コンクリートをあと打ちする自由勾配施工用の波打ち状の不陸粗面（１２）に形成されている。【００１８】  図５はフランジ付蓋型式の実施例である。
（１）はフランジ付蓋形式側溝による有底側溝、（４）はフランジ付蓋である。有底側溝（１）は図５に示すとおり内底面（１０）が調整コンクリート有無兼用の平坦粗面（１１）に形成されている。【００１９】  図６はボックス一部落し蓋型式で調整コンクリート打のない箇所には上面閉塞形式と併用するの実施例である。
（１）はボックス型式側溝による有底側溝、（３）は落し蓋である。
有底側溝（１）は図６に示すとおり内底面（１０）が平坦粗面（１１）に形成され、調整コンクリート打ち有無兼用を施工条件とする有底自由勾配側溝である。
また、図７はスリット付ボックス一部落し蓋で、調整コンクリート打のない箇所には上面閉塞形式と併用する実施例で、（６）はスリットである。
（１）はスリット付ボックス側溝による有底側溝、（２）はスリット付の落し蓋である。
有底側溝（１）は図７に示すとおり内底面（１０）が平坦粗面（１１）に形成され、調整コンクリート打ちの有無兼用を施工条件とする有底自由勾配側溝である。
【産業上の利用可能性】
【００２０】  本考案の有底側溝で調整コンクリート有無兼用タイプは、あと打のない固定勾配のみの施工にも適合し、従来の一般流通製品との併用も差支えないので普及面での制約は生じない。
型枠も従来からの一般品と平坦粗面ないし不陸粗面の部分を除いて同一であるため、生産供給においても在来の道路用コンクリート製品と同等に安価に流通する。
【符号の説明】
【００２１】    １    有底側溝
２    掛蓋
３    落し蓋
４    フランジ付蓋
５    調整コンクリート
６    スリット
１０  内底面
１１  平坦粗面
１２  不陸粗面
２０  基礎
【図１】
0003188538.tif 000003
【図２】
0003188538.tif 000004
【図３】
0003188538.tif 000005
【図４】
0003188538.tif 000006
【図５】
0003188538.tif 000007
【図６】
0003188538.tif 000008
【図７】
0003188538.tif 000009